(57)【要約】【課題】  壁面及び各種部材面に取り付ける壁面取付具に関する物であり、簡単な構造で、かつ施工が容易で、しかも、重量物を掛止しても壁面や各種部材面から容易に脱落しない、強力な保持力を持つ壁面取付具及び手摺りを得る。【解決手段】  基体台部１の背面中央部に両面粘着テープ２を貼着し、基体台部１の背面縁周に糊溜凹部３と、糊付け部４と、空気溜部５と、基体台部１の背面縁周に間隙部６を設け、基体台部１の前面に取付装置７を設けた壁面取付具に、チューブ入りパテ状接着剤２０を用いてパテ状接着剤１０を糊付け部４に塗布して、壁面に取り付けるようにした。【選択図】          図１
2005224588.tif 000002
【特許請求の範囲】
【請求項１】
基体台部（１）の背面中央部に両面粘着テープ（２）を貼着し、前記基体台部（１）の背面縁周に糊溜凹部（３）を刻設し、該糊溜凹部（３）の内周縁に糊付け部（４）を突設し、該糊付け部（４）の内周縁に空気溜部（５）を刻設し、前記基体台部（１）の背面縁周に間隙部（６）を設け、前記基体台部（１）の前面に取付装置（７）を設けた壁面取付具に、チューブ入りパテ状接着剤（２０）を用いてパテ状接着剤（１０）を糊付け部（４）に塗布して、壁面に取り付けることを特徴とする壁面取付具。
【請求項２】
取付装置（７）を掛止空間部（８）を有する略Ｓ字状鉤（９）とした請求項１記載の壁面取付具。
【請求項３】
基体台部（１１ｂ）の背面中央部を隆起させることにより隆起部（１ｂ）と糊付け部（４ｂ）と間隙部（６ｂ）を形成し、該隆起部（１ｂ）に両面粘着テープ（２）を貼着し、前記基体台部（１１ｂ）の前面に取付装置（７ｂ）を設けた壁面取付具に、弾性パテ状接着剤（１０ｂ）を前記糊付け部（４ｂ）に塗布して、壁面に取り付けることを特徴とする壁面取付具。
【請求項４】
基体台部（１１ｂ）の背面中央部を隆起させることにより隆起部（１ｂ）と糊付け部（４ｂ）と間隙部（６ｂ）を形成し、該隆起部（１ｂ）に両面粘着テープ（２）を貼着し、前記基体台部（１１ｂ）の前面に手摺りパイプ（２５）を設けたことを特徴とする手摺り。
【請求項５】
中央に基体台部（１１ｂ）と同じ平面形状で、かつ僅かに大きめの穴を穿設し、切れ目（２７）を設けたマスク用粘着フィルム（２６）を壁面（２２）に貼着しておき、糊付け部（４ｂ）に弾性パテ状接着剤（１０ｂ）を塗布した基体台部（１ｂ）の背面を前記壁面（２２）に貼り付けた前記マスク用粘着フィルム（２６）の穿設した位置に圧着し、この作業によって間隙部（６ｂ）からはみだした弾性パテ状接着剤を取り除き、前記マスク用粘着フィルム（２６）を剥ぎ取とる手順によって請求項３の壁面取付具または、請求項４の手摺りを取り付ける方法。
【発明の詳細な説明】
【技術分野】
【０００１】  本発明は、壁面及び各種部材面に取り付ける壁面取付具及び手摺りに関する物である。
【背景技術】
【０００２】  従来、重量物を掛止するためのワンタッチ型の壁面取付具においては、実願Ｓ５５−１０７８７６や、実願Ｓ５８−１７６３７９があったが、実用的なものではなかった。
【発明の開示】
【発明が解決しようとする課題】
【０００３】  簡単な構造であり、かつ施工が容易で、しかも、重量物を掛止しても壁面や各種部材面から容易に脱落しない、強力な保持力を持つ壁面取付具、または手摺りを得る。
【課題を解決するための手段】
【０００４】  上記課題を達成するために、本発明の壁面取付具においては、基体台部の背面中央部に両面粘着テープを貼着し、前記基体台部の背面縁周に糊溜凹部を刻設し、該糊溜凹部の内周縁に糊付け部を突設し、該糊付け部の内周縁に空気溜部を刻設し、前記基体台部の背面縁周に間隙部を設け、前記基体台部の前面に取付装置を設けた壁面取付具に、チューブ入りパテ状接着剤を用いてパテ状接着剤を糊付け部に塗布して、壁面に取り付けるようにした。【０００５】  また、取付装置を掛止空間部を有する略Ｓ字状鉤とすると効果的である。【０００６】  また、基体台部の背面中央部を隆起させることにより隆起部と糊付け部と間隙部を形成し、該隆起部に両面粘着テープを貼着し、前記基体台部の前面に取付装置を設けた壁面取付具に、弾性パテ状接着剤を前記糊付け部に塗布して、壁面に取り付ける。【０００７】  また、基体台部の背面中央部を隆起させることにより隆起部と糊付け部と間隙部を形成し、該隆起部に両面粘着テープを貼着し、前記基体台部の前面に手摺りパイプを設ける。【０００８】  そして、中央に基体台部と同じ平面形状で、かつ僅かに大きめの穴を穿設し、切れ目を設けたマスク用粘着フィルムを壁面に貼着しておく。そして糊付け部に弾性パテ状接着剤を塗布した基体台部の背面を前記壁面に貼り付けた前記マスク用粘着フィルムの穿設した位置に圧着し、この作業によって間隙部からはみだした弾性パテ状接着剤を取り除き、前記マスク用粘着フィルムを剥ぎ取る手順によって壁面取付具や手摺りを取り付ける。【０００９】  上記のように構成された壁面取付具の施工手順は、（図３）チューブに充填されたパテ状接着剤を環状の糊付け部全体に切れ目なく盛るように押し出して塗布する。この時のパテ状接着剤の塗布量の目安は、本体を壁面に押しつけたときに、塗布されたパテ状接着剤が潰れて、糊付け部から多少溢れる量にする（図１）。次に両面粘着テープの剥離紙を剥がして本体を所望の壁面に押しつけて取り付ける。そして、基体台部の背面縁周に設けた間隙部から部分的にはみ出したパテ状接着剤があるときには、拭き取り紙等で拭き取る。【００１０】  断面図１には壁面取付具取付後のパテ状接着剤と両面粘着テープとの関係が示されている。糊付け部と壁との間で潰れたパテ状接着剤が糊溜凹部と空気溜部に押し出されて収容されている。糊溜凹部と空気溜部には多少パテ状接着剤の塗布量が多くなっても、糊付け部から潰れてはみ出したパテ状接着剤を、間隙部から外に出しにくくする働きがある。【００１１】  また、壁面に貼り付けられた基体台部背面の両面粘着テープは、周囲のパテ状接着剤に囲まれることによって、外部環境の影響を受けることがなく、両面粘着テープの接着力の効力を保持する働きがある。この働きは、両面粘着テープのみで構成した壁面取付具の場合、外部環境の悪化により粘着材と壁面との接着面の周囲（特に上部）に欠損を生じたとき、その欠損から水や粘着力を弱める埃や汚れ物質が粘着面に侵入し、剥離部分が加速度的に拡大してゆくことにより、急激に接着面積が減り、剥離する力に抗する接着力をなくしてしまうという不具合を解消できるのである。【００１２】  また、パテ状接着剤のみで接着する壁面取付具の場合では、初期接着力がないために簡単に剥がれてしまうので、仮止めを施して長時間かけて硬化させる必要があるが、本発明は両面粘着テープを設けてあるので仮止めを施してあるのと同じ働きがある。【００１３】  そして、両面粘着テープとパテ状接着剤の間に空気溜部があることによって、施工時に本体を壁面に押しつけたときに、壁面と糊付け部との間で押し潰されたパテ状接着剤が、両面粘着テープと壁面との間に入り込み、両面粘着テープの接着力を低下させるという問題を防ぐ働きと、パテ状接着剤を空気溜部内の空気に触れさせることにより、硬化を促進させる働きがある。【００１４】  また、内側に面したパテ状接着剤は、空気溜部内の湿気や酸素などの分子と化合して硬化するために空気溜部内の容積が減り、この空気溜部内の気圧が下がる現象と、パテ状接着剤により空気溜部内は気密状態にあることにより、壁面取付具は外気圧によって壁面に押しつけられる。【００１５】  また、基体台部の縁周に設けた間隙部は、パテ状接着剤がこの基体台部縁周のみに塗布してあるので、都合により取り外さなければならなくなったときには、この間隙部にカッターナイフ等を差し込んで周囲のパテ状接着剤を容易に切断することができる。また、パテ状接着剤をより多くの外気に触れさせることにより硬化を促進させることができる。【００１６】  そして、壁面取付具を壁面に押しつけて貼り付けた後に、部分的にはみ出したパテ状接着剤があるときは、拭き取り紙や布等でこのこの部分的にはみ出したパテ状接着剤を、基体台部縁周に添わせるようにして拭き取るようにすれば、拭き取りと同時にはみ出したパテ状接着剤を内側の糊溜凹部に押し込めることができるので、作業が容易になる。【００１７】  さらに、掛止空間部を有する略Ｓ字状鉤は、鉤先端が外側に向けて曲がっているので、掛止物を簡単に着脱できる（図２）。また、掛止空間部は本体が天井等の水平方向に施工された場合にでも掛止物が落下しないようにする働きがある。【００１８】  また、上記の基体台部背面の構造をより単純化した構造とし、パテ状接着剤をより弾性効果の大きい弾性パテ状接着剤を使用した（図４）。すなわち、基体台部の背面中央部を隆起させることにより隆起部と糊付け部と間隙部を形成し、該隆起部に両面粘着テープを貼着し、前記基体台部の前面に取付装置を設けた壁面取付具に、弾性パテ状接着剤を前記糊付け部に塗布して、壁面に圧着して取り付ける。この構造では刻設した糊溜凹部及び刻設した空気溜部がないので、パテ状接着剤を塗布するときには両面粘着テープに接触しないように基体台部の縁周に近いほうに塗布しなければならない。したがって、パテ状接着剤は間隙部からはみ出ることになるが、接着強度には影響がなく壁面取付具の構造が単純になることから製造を容易にする利点がある。特に金属で製造する場合には糊溜凹部及び空気溜部を刻設することは費用の面から見ても適当ではない。はみ出た余分なパテ状接着剤の処理の方法は後記する。【００１９】  また、重量物が壁面取付具に掛止されたときや強い衝撃が加えられたとき、初期の段階では、壁面取付具が壁面から剥がれようとする力に対して、弾性パテ状接着剤は両面粘着テープより伸縮性、弾力性があるので、伸びる���とによってこの力を吸収、分散する。従って、この時点では弾性パテ状接着剤よりも両面粘着テープのほうにより大きな力が加わる。次に、両面粘着テープが剥離するほどの力が加わって剥離した時点では、空気溜部の体積が一気に大きくなる。この空気溜部の空間は環状に塗布された弾性パテ状接着剤によって気密状態にあるので、空気溜部の体積に両面粘着テープの剥がれた部分の体積が加わり全体の空間の体積が増えることによって空気溜部内の気圧が減圧される。従って、壁面取付具は外気圧によって壁面に押しつけられる力を受ける。この働きにより、環状に施された弾性パテ状接着剤は剥離する力による影響を受けにくくなるので破断することはなく、しかも、壁面取付具に加わる荷重が少なくなったり、または、なくなれば弾性パテ状接着剤が収縮してもとの形状に戻るため、剥離していた両面粘着テープも再び壁面に接着することになる。したがって、弾性パテ状接着剤が一旦硬化すると、この弾性パテ状接着剤が破断して気密になっている空気溜部に外気が流入しないかぎり、荷重が繰り返し加わったとしても本来の接着力を長期に渡って維持することができる。【００２０】  また、基体台部から隆起させて形成した隆起部は間隙部を広くするので、隆起部のない場合に比較して外気が弾性パテ状接着剤に触れる面積を大きくし、硬化を促進させる働きがある。また、壁面取付具を壁面から取り外す場合には、硬化した弾性パテ状接着剤をカッターナイフやワイヤー鋸で切断するが、このときにも間隙部が広いほうが刃の切り込みを容易にするため作業性がよくなる。また、壁面を傷つけないように作業することができる。【００２１】  そして、基体台部の前面に手摺りパイプを設けたことにより、下地補強工事などの大規模な工事を必要としない、施工が容易な手摺りを得ることが出きる（図５）。【００２２】  さらに、中央に基体台部と同じ平面形状で、かつ僅かに大きめの穴を穿設し、切れ目を設けたマスク用粘着フィルムを壁面に貼着しておくことにより、壁面取付位置の正確な位置決めが容易になり、取付ミスをなくすことができる。そして糊付け部に弾性パテ状接着剤を塗布した基体台部の背面を、あらかじめ壁面に貼り付けたマスク用粘着フィルムの穿設した位置に圧着し（図６）、この作業によって間隙部からはみだした弾性パテ状接着剤をヘラや指で滑らかになるように取り除き、その後に切れ目を設けてあるマスク用粘着フィルムを剥ぎ取とる作業手順によって、短時間にパテ仕上げ作業を終えることができる。また、このマスク用粘着フィルムの切れ目は剥ぎ取り作業を容易にすることができる。
【発明の効果】
【００２３】  基体台部の背面中央部に両面粘着テープを貼着し、前記基体台部の背面縁周に糊溜凹部を刻設し、該糊溜凹部の内周縁に糊付け部を突設し、該糊付け部の内周縁に空気溜部を刻設し、前記基体台部の背面縁周に間隙部を設け、前記基体台部の前面に取付装置を設けた壁面取付具に、チューブ入りパテ状接着剤を用いてパテ状接着剤を糊付け部に塗布して、壁面に取り付ける施行方法を採用したことにより、簡単な構造でありながら、かつ施工が容易で、しかも、重量物を掛止しても壁面や各種部材面から容易に脱落しない、強力な保持力を持つ壁面取付具を得ることができた。【００２４】  そして、取付装置を掛止空間部を有する略Ｓ字状鉤とした構成にすることによって、掛止物を着脱し易く、また、基体台部を天井等の下向きで水平方向になるように取付した場合においても、掛止物が落下しにくくすることができる。【００２５】  そして、基体台部の背面中央部を隆起させることにより隆起部と糊付け部と間隙部を形成し、該隆起部に両面粘着テープを貼着し、前記基体台部の前面に取付装置を設けた壁面取付具に、弾性パテ状接着剤を前記糊付け部に塗布して壁面に取り付ける施行方法を採用したことにより、より簡単な構造で製造を容易にすることができ、かつ、強力な保持力を持つ壁面取付具を得ることができた。【００２６】  また、基体台部の背面中央部を隆起させることにより隆起部と糊付け部と間隙部を形成し、該隆起部に両面粘着テープを貼着し、前記基体台部の前面に手摺りパイプを設けたことにより、従来のように壁面に下地補強工事をしてビスやボルトで穴を穿って取り付ける大がかりな施工方法をしなくてもよい簡単な取り付け方法の手摺りを得ることができた。【００２７】  さらに、中央に基体台部と同じ平面形状で、かつ僅かに大きめの穴を穿設し、切れ目を設けたマスク用粘着フィルムを壁面に貼着しておき、糊付け部に弾性パテ状接着剤を塗布した基体台部の背面を前記壁面に貼り付けた前記マスク用粘着フィルムの穿設した位置に圧着し、この作業によって間隙部からはみだした弾性パテ状接着剤を取り除き、前記マスク用粘着フィルムを剥ぎ取とる手順によって壁面取付具や手摺りを取り付ける方法により、取付作業が容易で正確でしかも、短時間ですむようになった。
【発明を実施するための最良の形態】
【００２８】  図２及び図３において説明する。矩形状で背面が平坦な板状の基体台部１の背面縁周に糊溜凹部３を刻設し、さらに、この糊溜凹部３の内周縁に空気溜部５を刻設することによって糊付け部４を環状に形成し、同様に前記空気溜部５を刻設することによって隆起部１ａを形成する。そして、この隆起部１ａの中央に両面粘着テープ２を貼着し、基体台部１の背面縁周には施行後に壁面と背面縁周とに僅かな間隔ができるように断面を爪形に形成した間隙部６を設ける。さらに、基体台部１の前面には、掛止空間部８を有し、鉤先端９ａが外側に向く略Ｓ字状鉤９を形設した。そして、この壁面取付具を、チューブ入りパテ状接着剤２０を用いてパテ状接着剤１０を糊付け部４に塗布してから両面粘着テープの剥離紙２１を剥いで、壁面に取り付ける手順で施行するようにした。
【実施例１】
【００２９】  図１、２、３は本発明の実施例である。基体台部１の背面中央部に両面粘着テープ２を貼着し、前記基体台部１の背面縁周に糊溜凹部３を刻設し、該糊溜凹部３の内周縁に糊付け部４を突設し、該糊付け部４の内周縁に空気溜部５を刻設し、前記基体台部１の背面縁周に断面を爪形に形成した間隙部６を設け、基体台部１の前面には、板状の鉤８１を略Ｊ字状に突設し、この板状の鉤８１の中央部にネジ穴を設け、握手付きボルト７ａを螺合させた。そして、この壁面取付具を、チューブ入りパテ状接着剤２０を用いてパテ状接着剤１０を糊付け部４に塗布し、両面テープの剥離紙２１を剥いでから壁面に取り付けるようにした。
【実施例２】
【００３０】図２は本発明の実施例である。実施例１の取付装置７を掛止空間部８を有する略Ｓ字状鉤９とした
【実施例３】
【００３１】  図５、６は本発明の実施例である。円形に形成した基体台部１１ｂの背面中央部を円柱形に隆起させることにより隆起部１ｂと糊付け部４ｂと間隙部６ｂを形成し、隆起部１ｂに両面粘着テープ２を貼着し、基体台部１１ｂの前面には断面が円形の手摺りパイプ２５を設けた。この手摺りは取付装置をパイプの両端に取り付けたものと、Ｌ型にして角付近に一箇所増やして三箇所設けたものを作成した。取り付けるには中央に基体台部１１ｂと同じ円形の平面形状で、かつ僅かに大きめの穴を穿設し、切れ目２７を設けてあるマスク用粘着フィルム２６を所定の壁面２２に貼着しておき、チューブ入りの弾性パテ状接着剤をチューブから押し出すか、またはカートリッジガンでカートリッジ入りの弾性パテ状接着剤を押し出して、糊付け部４ｂの外周寄りに環状に塗布する。次に、この基体台部１１ｂを、壁面に貼り付けた前記マスク用粘着フィルムの穿設してある位置に圧着して取り付けた。そして、この作業によって間隙部６ｂからはみだした余分な弾性パテ状接着剤はヘラや指で滑らかになるように取り除き、その後に切れ目２７を設けたマスク用粘着フィルム２６を剥ぎ取る作業手順とした。こうすることによって僅かに残った余分な弾性パテ状接着剤も基体台部１１ｂと同じ仕上がり形状となるように除去することができた。
【図面の簡単な説明】
【００３２】
【図１】壁面取付具を壁に取り付けた状態の断面図
【図２】壁面取付具を天井に取り付けた状態の断面図
【図３】施工途中の状態を表した背面斜視図
【図４】壁面取付具を壁に取り付けた状態の断面図
【図５】手摺りパイプを壁に取り付けた状態の断面図
【図６】手摺りパイプ取付施工途中の状態を表した図
【符号の説明】
【００３３】  １、１１ｂ  基体台部
１ａ、１ｂ  隆起部
２  両面粘着テープ
３  糊溜凹部
４、４ｂ  糊付け部
５、５ｂ  空気溜部
６、６ｂ  間隙部
７、７ｂ  取付装置
７ａ  握手付きボルト
８  掛止空間部
８１  板状の鉤
９  略Ｓ字状鉤
９ａ  鉤先端
１０  パテ状接着剤
１０ｂ  弾性パテ状接着剤
２０  チューブ入りパテ状接着剤
２１  剥離紙
２２  壁
２３  天井
２５  手摺りパイプ
２６  マスク用粘着フィルム
２７  切れ目
【図１】
2005224588.tif 000003
【図２】
2005224588.tif 000004
【図３】
2005224588.tif 000005
【図４】
2005224588.tif 000006
【図５】
2005224588.tif 000007
【図６】
2005224588.tif 000008